(57)【要約】      （修正有）【課題】主に真空掃除機の吸引管に装着し、フィルタを用いないで小害虫を駆除し、殺処理した小害虫を除去する手間が要らない、低圧力損失で吸引流量の大きな小害虫駆除器を提供する。【解決手段】主に真空掃除機の吸引管４に装着し、流路を狭めて気流速度を増大させる加速部３ａと、加速部から出た気流の向きが衝突板３ｃによって大きく変化することにより前記気流から逸脱した小害虫が衝突板に衝突して死亡する衝突部を有する小害虫駆除器であって、加速部の出口が矩形であり、気流の向きが一方向または反対二方向に変化する小害虫駆除器、また加速部の出口が円形であり、気流の向きが放射状に変化する小害虫駆除器、さらに加速部出口と衝突板との距離の加速部出口の直径に対する比が１／３から１／６である小害虫駆除器。【選択図】図６
2020141650.tif 000002
【特許請求の範囲】
【請求項１】
吸引した物質を気流から分離して貯留できる吸引装置に装着する小害虫駆除器であって、流路を狭めて気流速度を増大させる加速部と、前記加速部から出た気流の向きが衝突板によって大きく変化することにより前記気流から逸脱した小害虫が前記衝突板に衝突して死亡する衝突部を有する小害虫駆除器
【請求項２】
前記加速部の出口が矩形であって、前記気流の向きが一方向に変化する請求項１記載の小害虫駆除器
【請求項３】
前記加速部の出口が矩形であって、前記気流の向きが反対二方向に変化する請求項１記載の小害虫駆除器
【請求項４】
前記加速部の出口が円形であって、前記気流の向きが放射状に変化する請求項１記載の小害虫駆除器
【請求項５】
前記加速部出口と前記衝突板との距離の前記加速部出口の直径に対する比が、１／３から１／６である請求項４記載の小害虫駆除器
【発明の詳細な説明】
【技術分野】
【０００１】  本発明は、小害虫とりわけショウジョウバエの駆除方法のうち、主に真空掃除機の吸引管に装着して用い、吸引した小害虫を衝突死させる小害虫駆除器に関するものである。
【背景技術】
【０００２】  ［特許文献１］特許第５３２０５３２号の樹脂メッシュ製捕獲袋を用いた小害虫捕獲器は、小害虫が圧死しない場合も捕獲後に駆除できる長所があったが、前記樹脂メッシュ製捕獲袋のフィルタを着脱する手間と、圧殺後にフィルタから小害虫を除去する手間があった。
【先行技術文献】
【特許文献】
【０００３】
【特許文献１】特許第５３２０５３２号
【非特許文献】
【０００４】
【非特許文献１】ＶＡ  Ｍａｒｐｌｅ，ＢＹＨ  Ｌｉｕ  ａｎｄ  ＫＴ  Ｗｈｉｔｂｙ：Ｆｌｕｉｄ  Ｍｅｃｈａｎｉｃｓ  ｏｆ  ｔｈｅ  Ｌａｍｉｎａｒ  Ｆｌｏｗ  Ａｅｒｏｓｏｌ  Ｉｍｐａｃｔｏｒ，Ｐａｒｔｉｃｌｅ  Ｔｅｃｈｎｏｌｏｇｙ  Ｌａｂｏｒａｔｏｒｙ，Ｄｅｐａｒｔｍｅｎｔ  ｏｆ  Ｍｅｃｈａｎｉｃａｌ  Ｅｎｇｉｎｅｅｒｉｎｇ，Ｕｎｉｖｅｒｓｉｔｙ  ｏｆ  Ｍｉｎｎｅｓｏｔａ，Ｍａｒｃｈ  １９７３，Ｐａｒｔｉｃｌｅ  Ｔｅｃｈｎｏｌｏｇｙ  Ｌａｂｏｒａｔｏｒｙ  Ｐｕｂｌｉｃａｔｉｏｎ  Ｎｏ．１９８．
【非特許文献２】ＣＪ  Ｄｅｓｃｈａｍｐｓ，ＡＴ  Ｐｒａｔａ  ａｎｄ  ＲＴＳ  Ｆｅｒｒｅｉｒａ：Ｍｏｄｅｌｉｎｇ  ｏｆ  Ｔｕｒｂｕｌｅｎｔ  Ｆｌｏｗ  ｔｈｒｏｕｇｈ  Ｒａｄｉａｌ  Ｄｉｆｆｕｓｅｒ，Ｊ．Ｂｒａｚ．Ｓｏｃ．Ｍｅｃｈ．Ｓｃｉ．ｖｏｌ．２２  ｎ．１  Ｒｉｏ  ｄｅ  Ｊａｎｅｉｒｏ  ２０００．
【発明の概要】
【発明が解決しようとする課題】
【０００５】  本発明は以上のような問題点を解決するため、吸引した物質を気流から分離して貯留する吸引装置に装着する小害虫駆除器であって、フィルタを用いないで小害虫を駆除することができ、殺処理した小害虫を除去する手間が要らず、かつ低圧力損失で吸引流量の大きな小害虫駆除器を提供することにある。
【発明を解決するための手段】
【０００６】  以上の状況を鑑み、本発明は、吸引した物質を気流から分離して貯留する吸引装置に装着する小害虫駆除器であって、流路を狭めて気流速度を増大させる加速部と、前記加速部から出た気流の向きが衝突板によって大きく変化することにより前記気流から逸脱した小害虫が前記衝突板に衝突して死亡する衝突部を有する小害虫駆除器であって、前記加速部の出口が矩形であり、前記気流の向きが一方向または反対二方向に変化する前記小害虫駆除器、また前記加速部の出口が円形であり、前記気流の向きが放射状に変化する前記小害虫駆除器、さらに前記加速部出口と前記衝突板との距離の前記加速部出口の直径に対する比が１／３から１／６である前記小害虫駆除器を提供する。
【０００７】  吸引した物質を気流から分離して貯留する吸引装置とは主に掃除機を指し、本発明の小害虫駆除器は主に前記掃除機の吸引管に装着して用いる。また、小害虫とは虫体の柔らかい小害虫であり、主にショウジョウバエを指す。
【０００８】  本発明の小害虫駆除器の前記加速部は流路の減少率が大きい主加速部の他、前記主加速部に連接して直管状の副加速部を設けることが望ましい。前記副加速部は射出成形の抜きテーパがあるため実質的に流路が少しずつ減少する。
【０００９】  前記加速部出口は、矩形または円形である。
【００１０】  前記加速部出口が矩形のものは、前記衝突板として矩形状の板が用られ、前記加速部から出た気流は、前記衝突部で一方向または分流して反対二方向へ大きく向きを変える。
【００１１】  前記加速部出口が円形のものは、前記衝突板として円形状の板が用られ、気流は前記円形状の板によって、その向きを前記円柱状の板の全周方向、即ち放射状に変える。
【００１２】  前記衝突部で気流方向を一方向、反対二方向、または放射状に変える小害虫駆除器を、以下それぞれ、第一の駆除器、第二の駆除器、第三の駆除器と呼ぶことにする。
【００１３】  前記第一の駆除器の前記衝突部では、前記衝突板が流路形成部材により前記加速部から連接して形成される。前記第二と第三の駆除器の前記衝突部では、前記衝突板が連結部材により前記加速部から連接して形成される。
【００１４】  前記第一の駆除器の前記衝突部の出口面は一つの矩形面であり、前記第二の駆除器の前記衝突部の出口面は二つの矩形面であり、前記第三の駆除器の前記衝突部の出口面は円柱面である。
【００１５】  なお、前記衝突部の出口面は、前記衝突部から出る気流が通過し、前記加速部の中心気流の進行方向と平行な面であり、かつ前記加速部出口と前記衝突板の一部を含むものとする。
【発明の効果】
【００１６】  前記加速部に連接して形成された前記衝突部では、前記加速部で加速された気流が、前記衝突板によって向きが大きく変化し、気流の変化に追随できずに逸脱した小害虫が前記衝突板に衝突して死亡する。前記衝突板上で衝突死した小害虫の死骸は、前記衝突板上の速い気流によって除去され、前記掃除機のゴミ収集部に貯留される。
【００１７】  本発明の小害虫駆除器の駆除方法の原理は、矩形ジェットまたは円形ジェットを用いたエアロゾルサンプリング用インパクタの慣性分離方式と同様である。
【００１８】  小害虫を衝突死させるには、複雑な形状の管路だと射出成形、及び洗浄が困難になり、圧損も大きくなる。飛んでいる小害虫を吸引するには流量の大きい方が望ましく、管路だけで小害虫を駆除する器具にとり、低圧損であることは重要な条件である。
【００１９】  また、吸引管に装着するので、コンパクトな設計思想、及び射出成形にかかるコストの低い形状が求められる。このため単純かつ効果的な慣性分離方式が望ましく、本発明の小害虫駆除器はこれらの要求に応えるものである。
【００２０】  さて、管路の圧力損失は流速の二乗に比例する。今、前記加速部出口と前記衝突部の出口面の面積が全て等しい第一から第三の駆除器についてみる。
【００２１】  前記第一及び第二の駆除器の加速部出口の短辺、長辺の長さを、それぞれｌｘ，ｌｙ、前記第三の駆除器の加速部出口の半径をｒとし、これらの出口面積をＳＥとする。
【００２２】
【数１】
2020141650.tif 000003
【００２３】  前記第三の駆除器の加速部出口と前記衝突板との距離ｄ３は、
【００２４】
【数２】
2020141650.tif 000004
【００２５】  からｄ３＝０．５ｒとなる。前記掃除機吸引管は一般に円管であり、前記円管内で良好な前記第二の駆除器を実現するには、
【００２６】
【数３】
2020141650.tif 000005
【００２７】  程度の比率となる。［数１］と［数３］から、
【００２８】
【数４】
2020141650.tif 000006
【００２９】  となる。前記第二の駆除器の加速部出口と前記衝突板との距離をｄ２とすると、
【００３０】
【数５】
2020141650.tif 000007
【００３１】  であり、［数１］，［数５］からｄ２＝ｌｘ／２となり、これと［式４］から、ｄ２≒０．６３ｒとなる。なお、前記第一の駆除器の加速部出口と前記衝突板との距離ｄ１は、ｄ１＝ｌｘ≒１．２５ｒである。
【００３２】  前記第一から第三の駆除器の前記衝突部の圧損は、９０度の曲り損失であり、平均流速が同等のため比較的近い値になる。しかし、前記第一から第三の駆除器の前記加速部出口と前記衝突板との距離ｄ１，ｄ２，及びｄ３は、以上のように、前記第一、第二、第三の駆除器の順に小さくさる。
【００３３】  さて、小害虫が前記衝突板に最も衝突しにくい流線は、前記衝突板から最も遠いところを通過する前記加速部の壁面付近の流線であり、前記加速部出口と前記衝突板との距離が近い方が、小害虫が衝突死しやすくなる。
【００３４】  ［非特許文献１］にあるインパクタの層流域における計算機シミュレーションによると、スロートの出口における軸方向気流速度は、前記スロートとインパクタ衝突板との距離が近くなると、前記スロートの壁面付近で増加する。
【００３５】  これは、前記インパクタ衝突板が近くなると、前記スロートの中心部から出た気流が前記インパクタ衝突板に行く手を阻まれ、静圧が上がって流速が落ちるため、相対的に前記スロートの壁面付近で流速が増すのである。
【００３６】  ［非特許文献２］では、乱流域においても層流域と同様に、前記インパクタ衝突板が近い場合、前記インパクタ衝突板上の静圧は、前記スロート出口からのジェットを受けるところでは大きく上昇し、前記スロート出口から外れると逆に負圧になることが示されている。
【００３７】  前記スロートは、前記第二及び第三の駆除器における前記副加速部に相当し、このように前記軸方向気流速度が変化することは、本発明の小害虫駆除器にとって好ましい現象である。なぜなら、前記衝突板が近づくことにより、先に述べた小害虫が最も衝突死しにくい流線における副加速部出口気流の前記衝突板方向の速度が増大し、小害虫が衝突しやすくなるからである。
【００３８】  前記第三の駆除器において、前記副加速部出口と前記衝突板との距離の前記副加速部出口の直径に対する比は１／３から１／６であることが好ましい。
【００３９】  前記第三の駆除器の前記衝突板の直径は、前記副加速部出口の直径よりやや大きいことが望ましい。
【００４０】  また、前記第一または第二の駆除器の前記衝突板の短辺の長さは、前記副加速部出口の短辺の長さよりやや長いことが望ましい。
【００４１】  なお、前記第三の駆除器の加速部は、［特許文献１］に示される出口管を有する固定管であることが望ましい。吸引された小害虫が前記固定管の壁面付近を通過する場合、慣性によって前記出口管の入口付近で前記出口管の流路中央へ近づくため、小害虫が前記衝突板に衝突しやすくなるのである。
【００４２】  前記加速部の入口には［特許文献１］にあるような吸引導入部を設けることが好ましい。
【００４３】  本発明の小害虫駆除器は、以上述べたように、掃除機の吸引管に装着するだけで使用できるのでフィルタ着脱の手間が要らず、かつ小害虫の死骸が前記衝突板から気流により除去され、そのままゴミ収集部へ運ばれるので、小害虫の死骸を前記フィルタから除去する手間が要らない。また、低圧力損失なので吸引流量が大きく、小害虫を吸引しやすい。
【図面の簡単な説明】
【００４４】
【図１】本発明の第一の駆除器１の正面図，側面図，及び平面図である。
【図２】本発明の第二の駆除器２の正面図，側面図，及び平面図である。
【図３】本発明の第三の駆除器３の正面図，側面図，及び平面図である。
【図４】（ａ），（ｂ），（ｃ）は副加速部出口面積と衝突部出口面積が互いに全て等しい本発明の第一から第三の駆除器のそれぞれの衝突板１１ｃ、２１ｃ、３１ｃ付近の流線を示す図である。
【図５】（ａ）掃除機吸引管４と前記第二の駆除器の衝突板２１ｃとの関係を示す断面図である。（ｂ）前記掃除機吸引管４と前記第三の駆除器の衝突板３１ｃとの関係を示す断面図である。連結部材は省略している。
【図６】前記第三の駆除器３を前記掃除機吸引管４に装着した場合の流線の説明図である。連結部材３ｄ及び死水域の流線は省略している。
【図７】［非特許文献１］に示されたレイノルズ数Ｒｅ＝３０００、Ｔ／Ｗ＝２の場合の円形インパクタの理論的流線と流速分布を示す図でり、（ａ）はＳ／Ｗ＝１／２での全体図、（ｂ）は三種類のＳ／Ｗ比における局所的な図である。ここに、Ｔ：スロート長さ、Ｓ：ジェット‐プレート間距離、Ｗ：円形インパクタ直径、Ｖｚ：軸方向流速、Ｖｒ：ｒ方向流速、ξ：Ｓ／Ｗである。
【図８】本発明の第三の駆除器の連結部材３２ｄのＡ方向断面図である。
【発明を実施するための形態】
【００４５】  以下、図面を用いて本発明の小害虫駆除器の実施の形態を説明する。
【００４６】  図１、図２及び図３は、本発明の第一の駆除器１、第二の駆除器２、及び第三の駆除器３のそれぞれの正面図、側面図及び平面図である。
【００４７】  前記第一の駆除器１の主加速部１ａと副加速部１ｂの形状と、前記第二の駆除器２の主加速部２ａと副加速部２ｂの形状は全く同じであり、前記副加速部１ｂの出口と前記副加速部２ｂの出口は矩形である。
【００４８】  前記第三の駆除器３の主加速部３ａと副加速部３ｂの形状は、［特許文献１］と同様である。前記副加速部３ｂの出口は円形である。
【００４９】  前記副加速部１ｂ，２ｂ，３ｂは、射出成形のための抜きテーパが設けられており、流路が僅かに狭まっていく。
【００５０】  前記第一の駆除器１では、矩形の衝突板１ｃが前記副加速部１ｂ出口の短辺二つと長辺一つから流路形成部材１ｄによって連接して形成される。加速された気流は一方向に向きを変え、衝突部出口１ｅから出ていく。矢印は気流の向きを示す。
【００５１】  前記第二の駆除器２では、矩形の衝突板２ｃが前記副加速部２ｂの短辺二つから連結部材２ｄによって連接して形成される。加速された気流は前記衝突板２ｃによって反対二方向に向きを変え、衝突部出口２ｅから出ていく。
【００５２】  前記第三の駆除器３は、加速された気流が円形の衝突板３ｃによって前記衝突板３ｃの全周方向へ向きを変え、衝突部出口３ｅから放射状に出ていく。
【００５３】  図４（ａ），（ｂ），（ｃ）は副加速部出口面積と衝突部出口面積が互いに全て等しい本発明の第一から第三の駆除器のそれぞれの衝突板１１ｃ，２１ｃ，３１ｃ付近の流線を示す図である。前記第三の駆除器の副加速部３１ｂの出口直径３ＤＭ＝２２ｍｍで、前記第一及び第二の駆除器の副加速部１１ｂ，２１ｂの出口の短辺長さｌｘと長辺長さｌｙがｌｘ＝１２．７ｍｍ，ｌｙ＝３０ｍｍ，ｌｙ／ｌｘ＝２．３６の場合である。
【００５４】  同図では、１ＳＤ＝２ＳＤ＝１２．７ｍｍ、３ＤＭ＝２２ｍｍで、前記第一から第三の副加速部１１ｂ，２１ｂ，３１ｂの出口と各衝突板１１ｃ，２１ｃ，３１ｃとの距離をそれぞれ１ＤＳＴ，２ＤＳＴ，３ＤＳＴとすると、１ＤＳＴ＝１２．７ｍｍ，２ＤＳＴ＝６．３５ｍｍ，３ＤＳＴ＝５．５ｍｍとなる。前記第三の駆除器の副加速部３１ｂ出口と前記衝突板３１ｃとの距離３ＤＳＴの前記副加速部３１ｂの出口直径３ＤＭに対する比は、３ＤＳＴ／３ＤＭ＝０．２５である。
【００５５】  虫体ｍは、同図（ａ）に示すように、気流の向きの急な変化に追随できずに気流から逸脱し、前記衝突板１１ｃに衝突して死亡する。前記第二及び第三の駆除器では、死亡した虫体が加速された気流によって除去され掃除機のゴミ収集部に貯留されるので、死骸を後処理する必要がない。前記第一の駆除器で同図（ａ）の前記衝突板１１ｃと流路形成部材１１ｄでできる角部に死骸が貯留する場合は、使用後に流水で洗い流す。
【００５６】  これら三つの駆除器の衝突部の平均流速はほぼ同じであり、前記副加速部出口と前記衝突板との距離は１ＤＳＴ＞２ＤＳＴ＞３ＤＳＴなので、前記第三の駆除器が最も衝突しやすい。なお、同図（ａ）の流線ｐが最も衝突が起こりにくい。
【００５７】  第一及び第二の駆除器の加速部出口を矩形状にするのは、同図（ａ）から分かるように前記ｌｘが短い方が小害虫の衝突が起こり易いからである。
【００５８】  なお、同図（ａ）の前記衝突板１１ｃは前記副加速部１１ｂの気流方向に対して９０度の角度で形成されているが、前記衝突板１１ｃの角度を変化させることもできる。また、圧損が大きくなるが、前記副加速部１１ｂ出口と前記衝突板１１ｃとの距離１ＤＳＴをより小さくすることもできる。
【００５９】  図５（ａ）は掃除機吸引管４と前記第二の駆除器の衝突板２１ｃとの関係を示す断面図、同図（ｂ）は前記掃除機吸引管４と前記第三の駆除器の衝突板３１ｃとの関係を示す断面図である。
【００６０】  同図（ａ）では、前記衝突板２１ｃの両端付近で前記掃除機吸引管４との間隔が狭くなり、この部分の流量が減って流速が低下し、小害虫が衝突しにくくなる。一方、同図（ｂ）に示すように、前記第三の駆除器では前記衝突板３１ｃ上で気流が放射状に広がるので、小害虫の衝突死に関わる気流の流量と流速を均一にすることができる。
【００６１】  図７は、［非特許文献１］に示されたレイノルズ数Ｒｅ＝３０００、Ｔ／Ｗ＝２の場合の円形インパクタの理論的流線と流速分布を示す図でり、（ａ）はＳ／Ｗ＝１／２での全体図、（ｂ）は三種類のＳ／Ｗ比における局所的な図である。ここにＴ：スロート長さ、Ｓ：ジェット‐プレート間距離、Ｗ：円形インパクタ直径、Ｖｚ：軸方向流速、Ｖｒ：ｒ方向流速、ξ：Ｓ／Ｗである。［非特許文献１］では計算機シミュレーションと実験結果がよく一致している。
【００６２】  同図（ｂ）では、前記ジェット‐プレート間距離Ｓが小さくなると、前記スロート壁付近の前記軸方向流速Ｖｚが増大していることが分かる。
【００６３】  流体力学では壁面上の流速は零であり、壁面付近は静圧が高く、流速が低下する。前記スロートと前記プレート間の距離が小さくなると、気流の軸方向慣性と曲り流路の狭さから前記プレート上の静圧がさらに上昇する。
【００６４】  前記スロート中心付近を通る流線は、前記スロート壁面付近を通る流線に比べ、静圧の高い前記プレート上をより長い距離通過するため、前者の流線は後者の流線より圧力差がかなり大きくなる。このため、先に述べたような前記軸方向流速Ｖｚの分布になると考えられる。
【００６５】  このような前記プレート上の静圧の上昇は、乱流域でも起こることが［非特許文献２］におけるシミュレーションと実験によって確かめられている。本発明の小害虫駆除器は、レイノルズ数がおよそ一万以上の乱流域で用いられる。
【００６６】  本発明の前記第三の駆除器の前記副加速部３１ｂの壁面付近の図４（ｃ）の位置ｑにおいても、前記衝突板３１ｃ方向の流速が増大され、小害虫の良好な衝突死が起こる。前記衝突板３１ｃの直径は、前記３ＤＭよりやや大きいことが望ましい。
【００６７】  図６は図３に示した前記第三の駆除器３を前記掃除機吸引管４に装着した場合の流線の説明図である。前記連結部材３ｄ及び死水域の流線は省略してある。前記副加速部３ｂの出口と前記衝突板３ｃとの距離の前記副加速部３ｂの出口直径に対する比は０．２７である。
【００６８】  前記主加速部３ａの壁面近くを通る小害虫は、前記主加速部３ａから前記副加速部３ｂに進む時、慣性によって前記副加速部３ｂの流路中央側に寄るのでより衝突死しやすくなる。前記第三の駆除器３と同等の駆除器を床面移動式の掃除機の吸引管に装着してショウジョウバエを吸引したところ、十分な衝突死の結果が得られた。
【００６９】  前記連結部材３ｄは、衝突死した小害虫の死骸が停留しにくいように、図８に示すような流路側に丸みをおびた連結部材３２ｄであることが望ましい。
【００７０】  なお、本発明の小害虫駆除器は、実施例であげた数値のみに限定されるものではない。
【００７１】  本発明の小害虫駆除器の衝突部はこれまで述べたように加速部と一体に成形する他、着脱形式にすることもできる。
【００７２】  本発明の小害虫駆除器は、掃除機吸引管に装着するための係止部を設けたりする他、クリップ等の脱落防止装置等を用いることができる。
【００７３】  本発明の小害虫駆除器が使用される吸引装置は掃除機だけに限らず、ストッキング製の水切り袋を用いた小害虫専用の駆除装置等にも用いることができる。
【符号の説明】
【００７４】  １…第一の駆除器、２…第二の駆除器、３…第三の駆除器、１ａ，２ａ，３ａ…第一から第三の駆除器の各主加速部、１ｂ，２ｂ，３ｂ…第一から第三の駆除器の各副加速部、１ｃ，２ｃ，３ｃ…第一から第三の駆除器の各衝突板、１ｄ…流路形成部材、２ｄ，３ｄ…連結部材、１ｅ，２ｅ，３ｅ…衝突部出口、１１ｂ，２１ｂ，３１ｂ…第一から第三の駆除器の各副加速部、１１ｃ，２１ｃ，３１ｃ…第一から第三の駆除器の各衝突板、１１ｄ…流路形成部材、１ＳＤ，２ＳＤ…第一及び第二の駆除器の副加速部１１ｂ，２１ｂの出口短辺長さ、３ＤＭ…第三の駆除器の副加速部３１ｂの出口直径、１ＤＳＴ，２ＤＳＴ，３ＤＳＴ…第一から第三の駆除器の各副加速部１１ｂ，２１ｂ，３１ｂの出口と各衝突板１１ｃ，２１ｃ，３１ｃとの距離、３２ｂ…第三の駆除器の副加速部、３２ｃ…第三の駆除器の衝突板、３２ｄ…第三の駆除器の連結部材、４…掃除機吸引管。
【図１】
2020141650.tif 000008
【図２】
2020141650.tif 000009
【図３】
2020141650.tif 000010
【図４】
2020141650.tif 000011
【図５】
2020141650.tif 000012
【図６】
2020141650.tif 000013
【図７】
2020141650.tif 000014
【図８】
2020141650.tif 000015
【手続補正書】
【提出日】令和1年9月28日(2019.9.28)
【手続補正１】
【補正対象書類名】特許請求の範囲
【補正対象項目名】全文
【補正方法】変更
【補正の内容】
【特許請求の範囲】
【請求項１】
吸引した物質を気流から分離して貯留できる吸引装置に装着する小害虫駆除器であって、流路を狭めて気流速度を増大させる加速部と、前記加速部の加速部出口から出た気流が一枚の衝突板によって進行方向が６５度以上１２５度以下の角度で変化することにより、前記気流から逸脱した小害虫が前記衝突板に衝突して死亡する衝突部を有する小害虫駆除器
【請求項２】
前記加速部出口が矩形であって、前記加速部出口から出た気流の向きが一方向に変化する請求項１記載の小害虫駆除器
【請求項３】
前記加速部出口が矩形であって、前記加速部出口から出た気流の向きが反対二方向に変化する請求項１記載の小害虫駆除器
【請求項４】
前記加速部出口が円形であって、前記加速部出口から出た気流の向きが放射状に変化する請求項１記載の小害虫駆除器
【請求項５】
前記加速部出口と前記衝突板との距離の前記加速部出口の直径に対する比が、１／３から１／６である請求項４記載の小害虫駆除器
【手続補正２】
【補正対象書類名】明細書
【補正対象項目名】０００６
【補正方法】変更
【補正の内容】
【０００６】  以上の状況を鑑み、本発明は、吸引した物質を気流から分離して貯留する吸引装置に装着する小害虫駆除器であって、流路を狭めて気流速度を増大させる加速部と、前記加速部の加速部出口から出た気流が一枚の衝突板によって進行方向が６５度以上１２５度以下の角度で変化することにより、前記気流から逸脱した小害虫が前記衝突板に衝突して死亡する衝突部を有する小害虫駆除器であって、前記加速部出口が矩形であり、前記気流の向きが一方向または反対二方向に変化する前記小害虫駆除器、また前記加速部出口が円形であり、前記気流の向きが放射状に変化する前記小害虫駆除器、さらに前記加速部出口と前記衝突板との距離の前記加速部出口の直径に対する比が１／３から１／６である前記小害虫駆除器を提供する。なお、前記６５度以上１２５度以下の角度とは、前記衝突部において進行方向が変化する気流の最大変化角と最小変化角の平均とする。
【手続補正３】
【補正対象書類名】明細書
【補正対象項目名】００３２
【補正方法】変更
【補正の内容】
【００３２】  前記第一から第三の駆除器の前記衝突部の圧損は、９０度の曲り損失であり、平均流速が同等のため比較的近い値になる。しかし、前記第一から第三の駆除器の前記加速部出口と前記衝突板との距離ｄ１，ｄ２，及びｄ３は、以上のように、前記第一、第二、第三の駆除器の順に小さくなる。
【手続補正書】
【提出日】令和2年2月8日(2020.2.8)
【手続補正１】
【補正対象書類名】特許請求の範囲
【補正対象項目名】請求項１
【補正方法】変更
【補正の内容】
【請求項１】
吸引した物質を気流から分離して貯留できる吸引装置に装着する小害虫駆除器であって、流路を狭めて気流速度を増大させる加速部と、前記加速部の加速部出口から出た気流の向きが一枚の衝突板によって変化することにより、前記気流から逸脱した小害虫が前記衝突板に衝突して死亡する衝突部を有する小害虫駆除器
【手続補正２】
【補正対象書類名】特許請求の範囲
【補正対象項目名】請求項２
【補正方法】変更
【補正の内容】
【請求項２】
前記加速部出口が矩形であって、前記気流の向きが一方向に変化する請求項１記載の小害虫駆除器
【手続補正３】
【補正対象書類名】特許請求の範囲
【補正対象項目名】請求項３
【補正方法】変更
【補正の内容】
【請求項３】
前記加速部出口が矩形であって、前記気流の向きが反対二方向に変化する請求項１記載の小害虫駆除器
【手続補正４】
【補正対象書類名】特許請求の範囲
【補正対象項目名】請求項４
【補正方法】変更
【補正の内容】
【請求項４】
前記加速部出口が円形であって、前記気流の向きが放射状に変化する請求項１記載の小害虫駆除器
【手続補正５】
【補正対象書類名】明細書
【補正対象項目名】０００６
【補正方法】変更
【補正の内容】
【０００６】  以上の状況を鑑み、本発明は、吸引した物質を気流から分離して貯留する吸引装置に装着する小害虫駆除器であって、流路を狭めて気流速度を増大させる加速部と、前記加速部の加速部出口から出た気流の向きが一枚の衝突板によって変化することにより、前記気流から逸脱した小害虫が前記衝突板に衝突して死亡する衝突部を有する小害虫駆除器であって、前記加速部出口が矩形であり、前記気流の向きが一方向または反対二方向に変化する前記小害虫駆除器、また前記加速部出口が円形であり、前記気流の向きが放射状に変化する前記小害虫駆除器、さらに前記加速部出口と前記衝突板との距離の前記加速部出口の直径に対する比が１／３から１／６である前記小害虫駆除器を提供する。